(57)【特許請求の範囲】
【請求項１】
移動体通信網において、基地局から移動ユーザ端末へのフォワード・アクセス・チャネル（ＦＡＣＨ）の送信電力を調整する方法であって、
基地局が、第１の送信電力レベルの信号を移動ユーザ端末に送信する工程と、
移動ユーザ端末が、所定の報告基準が満たされたときに測定信号品質に応じた１つ又は複数のパラメータ値の報告を送信する工程と、
従って、基地局が、測定信号品質を許容限界内に維持するように移動ユーザ端末への基地局の送信電力を調整する工程とを含み、
移動ユーザ端末がＣｅｌｌ−ＦＡＣＨ状態からＣｅｌｌ−ＤＣＨ状態に遷移した場合に、Ｃｅｌｌ−ＤＣＨ状態における移動ユーザ端末への初期送信電力は、状態遷移中に該移動ユーザ端末と該基地局との間の迅速な同期を維持しつつ効率的な電力割り当てを達成するように、直前のＣｅｌｌ−ＦＡＣＨ状態において該移動ユーザ端末に関して最後に調整された送信電力に応じて設定される方法。
【請求項２】
所定の報告基準は、最後の報告の測定信号品質から得た測定信号品質の変化が所定の量よりも大きく、その結果として送信電力が調整されることである、請求項１に記載の方法。
【請求項３】
Ｃｅｌｌ−ＤＣＨ状態への遷移は、Ｃｅｌｌ−ＦＡＣＨ状態における該測定信号品質を示す値が所定の限界よりも低いことに応じて行われる、請求項１に記載の方法。
【請求項４】
ソフト・ハンドオーバ接続がセットアップされる場合、前記接続は、基地局からの、移動ユーザ端末固有の初期送信電力によってセットアップされる、請求項１乃至３の何れか１項に記載の方法。
【請求項５】
最後に受信されたパラメータ値は、Ｃｅｌｌ−ＦＡＣＨ状態からＣｅｌｌ−ＤＣＨ状態に遷移する際にソフト・ハンドオーバ接続をセットアップすべきかどうかを判定するのに用いられる、請求項１乃至４の何れか１項に記載の方法。
【請求項６】
基地局のダイナミック・ベアラ・コントローラは、移動ユーザ端末から最後に受信されたパラメータ値に応じてＣｅｌｌ−ＤＣＨ状態用のデータ信号測度を割り当てる、請求項１乃至５の何れか１項に記載の方法。
【請求項７】
所定の報告基準は、移動ユーザ端末がソフト・ハンドオーバ領域内にいるがＣｅｌｌ−ＦＡＣＨ状態である場合において、最良の近傍のセルからの測定信号品質が制御側セルからの測定信号品質よりも第１の所定の量よりも大きな量だけ劣るときに、最良の近傍がＣｅｌｌ−ＤＣＨ状態におけるソフト・ハンドオーバ接続に関するセルのリストから削除されるようになっている、請求項１乃至６の何れか１項に記載の方法。
【請求項８】
所定の報告基準は、移動ユーザ端末がソフト・ハンドオーバ領域内にいるがＣｅｌｌ−ＦＡＣＨ状態である場合において、最良の近傍のセルからの測定信号品質が制御側セルからの測定信号品質よりも第１の所定の量よりも小さな量だけ劣るときに、最良の近傍がＣｅｌｌ−ＤＣＨ状態におけるソフト・ハンドオーバ接続に関するセルのリストに追加されるようになっている、請求項１乃至７の何れか１項に記載の方法。
【請求項９】
基地局および移動ユーザ端末を含む移動体通信網であって、
基地局は、第１の送信電力レベルの信号をフォワード・アクセス・チャネル（ＦＡＣＨ）上で移動ユーザ端末に送信するように動作し、
移動ユーザ端末は、所定の報告基準が満たされたときに測定信号品質に応じた１つ又は複数のパラメータ値の報告を送信するように動作し、
基地局は、測定信号品質を許容限界内に維持するように移動ユーザ端末への基地局の送信電力を調整するように動作し、
移動ユーザ端末がＣｅｌｌ−ＦＡＣＨ状態からＣｅｌｌ−ＤＣＨ状態に遷移した場合に、Ｃｅｌｌ−ＤＣＨ状態における移動ユーザ端末への初期送信電力は、状態遷移中に該移動ユーザ端末と該基地局との間の迅速な同期を維持しつつ効率的な電力割り当てを達成するように、直前のＣｅｌｌ−ＦＡＣＨ状態において該移動ユーザ端末に関して最後に調整された送信電力に応じて設定される移動体通信網。
【発明の詳細な説明】
【技術分野】
【０００１】
本発明は、移動体通信網におけるフォワード・アクセス・チャネル（ＦＡＣＨ）の送信電力に関する。本発明は、移動体通信網にも関する。
【背景技術】
【０００２】
無線リソース管理の一部として、移動ユーザ端末（ユーザ機器、ＵＥ）は、利用可能な無線リソース（たとえば、電力、帯域幅）の効率を最大にするようにあるリソース状態から別のリソース状態に移される。Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）規格では、各移動ユーザ端末がアクティブ・データ送信の２つの状態、すなわち、セル・フォワード・アクセス・チャネル（Ｃｅｌｌ−ＦＡＣＨ）状態およびセル専用チャネル（Ｃｅｌｌ−ＤＣＨ）状態のいずれかをとる必要がある（たとえば、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）Ｔｅｃｈｎｉｃａｌ  Ｓｐｅｃｉｆｉｃａｔｉｏｎ  ２５．３３１を参照されたい）。
【０００３】
Ｃｅｌｌ−ＦＡＣＨ状態では、共用チャネル、特にフォワード・アクセス・チャネル（ＦＡＣＨ）は、一群の移動ユーザ端末間で共用され、関連する専用物理制御チャネルを有さない。フォワード・アクセス・チャネル（ＦＡＣＨ）は、小容量データに用いられ、古い移動技術のブロードキャスト・チャネルおよびランダム・アクセス・チャネルに類似している。フォワード・アクセス・チャネルは通常、たとえば、ウェブ・ページ・ダウンロードの後の表示時間に用いることができる。フォワード・アクセス・チャネル（ＦＡＣＨ）を使用すると、低データ信号速度でのセル容量が改善され、したがって、必要な送信電力が低くなるために移動ユーザ端末の電池寿命が向上する。
【０００４】
一方、Ｃｅｌｌ−ＤＣＨ状態では、連続的に送信される、送信電力制御情報およびパイロット情報を含む、専用物理制御チャネルを有する移動ユーザ端末の専用チャネル（ＤＣＨ）を使用する。セルの専用チャネル（ＤＣＨ）は通常、大容量データまたは音声に用いられる。
【０００５】
Ｃｅｌｌ−ＤＣＨ状態では、移動ユーザ端末は、監視基地局からの測定信号がしきい値を上回るかまたは下回ったときのように、基準が満たされたときに基地局に報告され、基地局は、ソフト・ハンドオーバ・レグ（すなわち、ソフト・ハンドオーバ接続、ソフト・ハンドオーバ接続とも呼ばれる）を付加または削除することを選択することができる。
【０００６】
この規格は、ハンドオーバ測定値を報告する様々な測定報告方法を実現する（３ＧＰＰ  Ｔｅｃｈｎｉｃａｌ  Ｓｐｅｃｉｆｉｃａｔｉｏｎ  ２５．３３１  Ｓｅｃｔｉｏｎ  １４．１．２）が、移動ユーザ端末がＤｅｌｌ−ＦＡＣＨ状態である間、受信信号に関する測定は、測定報告が頻繁に基地局に送り返され、それによってユーザ・データまたは音声用のチャネルの容量が少なくなるためディスエーブルされる。
【０００７】
さらに、この規格は、各フォワード・アクセス・チャネル（ＦＡＣＨ）フレームを移動ユーザ端末（ＵＥ）にブロードキャストすべき送信電力を求める信頼できる手段を実現せず、したがって、ＦＡＣＨチャネルは常に、セル全体をカバーするのに十分な高い電力でブロードキャストされる。
【０００８】
さらに、Ｃｅｌｌ−ＦＡＣＨ状態からＣｅｌｌ−ＤＣＨ状態に遷移する基準に関して、既知の基準は、送信すべきデータを記憶する（移動ユーザ端末内の）バッファの占有度である。バッファ占有度測定値は移動ユーザ端末から基地局に渡され、状態の変化を指示する決定が下される。
【０００９】
他の背景として、ダイナミック・ベアラ・制御（Ｄｙｎａｍｉｃ  Ｂｅａｒｅｒ  Ｃｏｎｔｒｏｌ（ＤＢＣ））は、推定された電力消費量に基づいてリソースを供給するかどうか、およびどの程度供給するか、すなわち、データ信号速度を割り当てるかどうか、およびどの程度割り当てるかを判定する、３ＧＰＰ規格内に規定された一般に理解されている機構である。ＤＢＣ機能ブロックは通常、電力情報もソフト・ハンドオーバ情報も受信しない。したがって、ＤＢＣ機能ブロックは、移動ユーザ端末が、Ｃｅｌｌ−ＤＣＨ状態に遷移するときに最高の電力を必要とすると仮定し、したがって、移動ユーザ端末が必要とするよりも低いデータ信号速度を割り当てるか、場合によってはＤＣＨリソースの供給を拒否する。
【００１０】
基地局は、Ｃｅｌｌ−ＦＡＣＨ状態の移動ユーザ端末がＣｅｌｌ−ＤＣＨ状態に遷移する必要があると判定すると、ソフト・ハンドオーバ・レグ、すなわち、移動ユーザ端末と一次セル以外のセルとの２回目以降の無線接続なしでこれを行わなければならない。これは、Ｃｅｌｌ−ＦＡＣＨ状態では移動ユーザ端末とのソフト・ハンドオーバ接続はないからである。さらに、基地局および移動ユーザ端末は、移動ユーザ端末と基地局との同期を高速に確保するように高い初期送信電力から始めなければならない。このため、特に２つの状態間の遷移が頻繁に行われる場合に、トラフィック容量が少なくなる。
【発明の開示】
【課題を解決するための手段】
【００１１】
本発明による方法およびネットワークは、読者がここで参照すべきである独立請求項に定義されている。好ましい特徴は、従属請求項に記載されている。
本発明の一例は、移動体通信網における基地局から移動ユーザ端末へのフォワード・アクセス・チャネル（ＦＡＣＨ）の送信電力を調整する方法である。この方法は以下の工程を含む。基地局は、第１の送信電力レベルの信号を移動ユーザ端末に送信する。移動ユーザ端末は次いで、所定の報告基準が満たされた場合、測定された信号品質に応じた１つまたは複数のパラメータ値の報告を送信する。したがって、基地局は次いで、測定信号品質を許容限界内に維持するように移動ユーザ端末への基地局の送信電力を調整する。
【００１２】
したがって、Ｃｅｌｌ−ＦＡＣＨ状態における移動ユーザ端末への送信電力を調整するフィードバック機構が設けられている。これによって、電力割当ての効率が高まり、したがって、トラフィック容量が改善される。
【００１３】
所定の報告基準は、最後の報告の測定信号品質から得た測定信号品質の変化が所定の量よりも大きいことであってよい。この基準が満たされた場合、その結果として送信電力が調整される。したがって、いくつかの実施態様では、測定情報を適切な低い速度で基地局に送り返す手段が設けられ、ある状況では、ＦＡＣＨチャネル上の電力制御によってトラフィックが著しく増加する。したがって、ＦＡＣＨの低速の電力制御が行われる（専用チャネルのように連続的なフィードバックではなく、断続的なフィードバックという意味で低速）。
【００１４】
移動ユーザ端末がＣｅｌｌ−ＦＡＣＨ状態からＣｅｌｌ−ＤＣＨ状態に遷移するとき、Ｃｅｌｌ−ＤＣＨ状態における移動ユーザ端末への初期送信電力は、直前のＣｅｌｌ−ＦＡＣＨ状態における最後に調整された送信電力に応じて設定することができる。したがって、移動ユーザ端末が基地局によってＣｅｌｌ−ＦＡＣＨ状態からＣｅｌｌ−ＤＣＨ状態に遷移するときに移動ユーザ端末に固有のより正確な初期送信電力レベルが与えられる。いくつかの実施態様では、状態間の遷移が頻繁に行われ、したがって、（状態遷移中に移動ユーザ端末と基地局との間に高速の同期を維持しつつ）電力を効率的に割り当てることが特に有益である。
【００１５】
Ｃｅｌｌ−ＤＣＨ状態への遷移は好ましくは、Ｃｅｌｌ−ＦＡＣＨ状態における送信電力が所定の限界よりも低いことに応じて行われる。したがって、測定報告は、Ｃｅｌｌ−ＤＣＨ状態とＣｅｌｌ−ＦＡＣＨ状態との間の遷移をいつ行うかを判定する際の因子として使用できる追加の情報を与える。特に、たとえば、受信信号の測定されたＳＩＲを、たとえば、Ｃｅｌｌ−ＦＡＣＨ状態からＣｅｌｌ−ＤＣＨ状態への遷移をいつ行うかを判定する際の因子として用いることができる。
【００１６】
好ましくは、調整された電力レベルが、ソフト・ハンドオーバ接続を確立するとき最初に近傍のセルとのソフト・ハンドオーバ接続で使用すべき送信電力レベルとして得られる。好ましくは、ネットワークは、少なくとも実質的に第３世代パートナーシップ・プロジェクト（Ｔｈｉｒｄ  Ｇｅｎｅｒａｔｉｏｎ  Ｐａｒｔｎｅｒｓｈｉｐ  Ｐｒｏｊｅｃｔ）規格に従ったＣＤＭＡ（Ｃｏｄｅ  Ｄｉｖｉｓｉｏｎ  Ｍｕｌｔｉｐｌｅ  Ａｃｃｅｓｓ）網である。好ましくは、測定信号品質は、信号対干渉比（ＳＩＲ）である。
【００１７】
本発明は、対応する移動体通信網も提供する。移動体通信網の一例は基地局と移動ユーザ端末とを含む。基地局は、フォワード・アクセス・チャネル（ＦＡＣＨ）上で移動ユーザ端末に第１の送信電力レベルの信号を送信するように動作することができる。移動ユーザ端末は、所定の報告基準が満たされたときに測定信号品質に応じて１つまたは複数のパラメータ値の報告を送信するよう動作することができる。したがって、基地局は次いで、測定信号品質を許容限界内に維持するように移動ユーザ端末への基地局の送信電力を調整する。
本発明の好ましい実施形態について一例として図面を参照して説明する。
【発明を実施するための最良の形態】
【００１８】
好ましいネットワークは、移動体通信用の広帯域Ｃｏｄｅ  Ｄｉｖｉｓｉｏｎ  Ｍｕｌｔｉｐｌｅ  Ａｃｃｅｓｓ（ＣＤＭＡ）網の一種であるＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）Ｔｅｒｒｅｓｔｉａｌ  Ａｃｃｅｓｓ  Ｎｅｔｗｏｒｋ（ＵＴＲＡＮ）である。ＵＴＲＡＮ網は基本的に図１に示されているようなネットワークである。図を簡単にするために、ＵＴＲＡＮ網２の１つの無線網コントローラおよび２つの基地局のみが示されている。この図に示されているように、ＵＴＲＡＮ網２は基地局４を含んでいる。各基地局（ＵＭＴＳ用語ではノードＢ）４は、が通常、方位角が互いに１２０°ずつ傾けられた３本の方向性アンテナ（図示せず）を有するため、通常３つのセル６（すなわち、セクタとも呼ばれる無線範囲領域）を有する。それ自体が通信「界」（図示せず）の残りの部分に接続された無線網コントローラ（ＲＮＣ）８はそれぞれ、いくつかの基地局４、したがっていくつかのセル６を制御する。基地局４は、ＩｕＢインタフェースと呼ばれるそれぞれのインタフェース１０を介してその制御側無線網コントローラ（ＲＮＣ）８に接続されている。使用時には、移動ユーザ端末１２（ＵＭＴＳ用語ではユーザ機器（ＵＥ）と呼ばれることも多い）は、少なくとも１つの基地局４の少なくとも１つのセル６を介して制御側無線網コントローラ（ＲＮＣ）８と通信する（すなわち、ＵＴＲＡＮ網２と通信する）。図２に示されているように、ＲＮＣ８は、以下に説明するようにＤｙｎａｍｉｃ  Ｂｅａｒｅｒ  Ｃｏｎｔｒｏｌ（ＤＢＣ）ブロックを含んでいる。
【００１９】
プロセスの例
図３は、移動ユーザ端末がＣｅｌｌ−ＦＡＣＨ状態に入り（図３に段階ａ、ｂとして示されている）、データを受信し（ｃ）、制御側セルの受信された信号・干渉比（ＳＩＲ）が向上したことを検出し、したがって、測定報告をトリガし（ｄ、ｅ）、以後のデータをより低い電力で受信する（ｆ）ことを示している。図３は、Ｃｅｌｌ−ＤＣＨ状態への遷移（ｇ、ｈ）も示している。
【００２０】
図４は、移動ユーザ端末がＣｅｌｌ−ＦＡＣＨ状態にあり（ｊ）、近傍のセルが前に、ソフト・ハンドオーバ基準を満たしていると報告されたが、近傍のセルがもはや、基準を満たしておらず、したがって、測定報告を送信し（ｋ）、これが基地局によって受信され確認される（ｌ）ことを示している。図４は、他の近傍のセルが現在、基準を満たしており（ｍ）、したがって、同様に動作していることも示している。図４はさらに、他の近傍のセルがもはや基準を満たしておらず（ｏ）、したがって、測定報告を送信することも示している。この場合、ＲＮＣは、測定方向の頻度が高すぎると判定し、したがって、測定報告をディスエーブルする（Ｐ）。
【００２１】
基本的なプロセス
図３および図４の例の基本的で一般的なプロセスは、以下のように番号付きの７つの工程で説明するようなプロセスである。
【００２２】
（１）移動ユーザ端末は、Ｃｅｌｌ−ＦＡＣＨ状態に入ると、制御側セル受信品質（パイロット・チャネル信号・干渉比）を測定し、これを、近傍のセルの同じパラメータの測定値と一緒に基地局に送り返す（図３に（ａ）として示されている）。基地局は、Ｃｅｌｌ−ＦＡＣＨ状態からＣｅｌｌ−ＤＣＨ状態に遷移する際、もちろん、移動ユーザ端末によって確実に受信され、好ましくはたいていの顕著なハンドオーバ・レグ上で受信される初期出力電力で送信する必要がある。
【００２３】
（２）Ｓｙｓｔｅｍ  Ｉｎｆｏｒｍａｔｉｏｎ  Ｂｒｏａｄｃａｓｔ（ＳＩＢ）チャネルは、すべての移動ユーザ端末によって、これらの移動ユーザ端末が送信を開始できるようにするためにＣｅｌｌ−ＦＡＣＨ状態に入るとき（図３のａ）に読み取られる。このチャネルから、新しい１組の測定報告基準が移動ユーザ端末にブロードキャストされる（図３のｂ）。
【００２４】
測定報告基準は、十分に大きなデルタＳＩＲ、デルタ・ソフト・ハンドオーバＳＩＲ、およびデルタ・ソフト・ハンドオーバＳＩＲヒステリシスである。デルタＳＩＲは、新しい報告が生成される前に現在の測定信号・干渉比と最後に報告されたＳＩＲとの絶対差を基地局に示す。デルタ・ソフト・ハンドオーバＳＩＲは、新しい報告が生成される前に、制御側セルと最良の近傍のＳＩＲとの差を示す。デルタ・ソフト・ハンドオーバＳＩＲヒステリシスは、ハンドオーバ接続のための検討への最良の近傍の追加またはそのような検討からの最良の近傍の削除を報告するための、ＳＩＲに対する必要なヒステリシスを示す。図３の例は、最良の近傍のセルの基準を示しているが、複数の最良の近傍のセルを求めるように容易に拡張することができる。
【００２５】
（３）移動ユーザ端末は、報告について少なくとも１つの基準が満たされていることを検出すると、非肯定モード送信に関する測定報告（図３のｄ、図４のｋ）を基地局に送信する。基準は以下のとおりである。
（ｉ）  制御側セル・パイロットＳＩＲが最後に報告された測定からデルタＳＩＲを超える量だけ変化したと仮定する。第１の基準レベル２０は、最後の測定報告で送信された測定ＳＩＲ値ＳＩＲ１になっている。デルタＳＩＲ２２よりも大きなＳＩＲの変化はＳＩＲ値ＳＩＲ２を報告する他の測定報告２４をトリガする。この場合、新しい基準レベル２６が、ＳＩＲ１＋デルタＳＩＲであるＳＩＲ２に設定される。測定されたＳＩＲが基準レベル２６からデルタＳＩＲよりも大きな量だけ逸脱すると、さらなる測定報告がトリガされる（２８）。
（ii）  制御側セルＳＩＲ３１と最良の近傍のセルＳＩＲ３３との差が、デルタ・ソフト・ハンドオーバＳＩＲ（３４）（第１の所定の値）＋デルタ・ソフト・ハンドオーバＳＩＲヒステリシス（３６）よりも大きく、最良の近傍のＳＩＲ３３が制御側セルＳＩＲ３１よりも低い場合には、生成された測定報告は、ソフト・ハンドオーバ・レグをＣｅｌｌ−ＤＣＨ状態での使用から削除する。
（iii）  最良の近傍のセル３３と制御側セルＳＩＲ３１との差が、デルタ・ソフト・ハンドオーバＳＩＲ（３４）（第１の所定の値）−デルタ・ソフト・ハンドオーバＳＩＲヒステリシス（３６）よりも小さく、最良の近傍のＳＩＲ３３が制御側セルＳＩＲ３１よりも低い場合には、生成された測定報告は、ソフト・ハンドオーバ・レグをＣｅｌｌ−ＤＣＨ状態での使用に含める。
【００２６】
（４）基地局が、測定応答メッセージで移動ユーザ端末に応答する（図３のｅ、図４のｌ、ｎ）測定応答メッセージは以下の目的を有する。
ｉ）この応答は、新しい電力レベルで送信され、移動ユーザ端末は、この応答を正しく受信した場合、測定報告メッセージ送信を繰り返さない。
ｉｉ）移動ユーザ端末は、送信が不要であることを意味する、基地局から測定報告メッセージを受信したという肯定応答を得る。
ｉｉｉ）基地局が測定報告を受信したことを肯定応答するメッセージは、各報告間の時間をより長い間隔に構成するのに用いることできるいくつかのオプションの情報要素を有する。このようなオプションは、移動が激しく、したがって、頻繁に報告を生成し、したがって、大量の干渉を生じさせる移動ユーザ端末に最も有用である（図４のｐ）。
オプションの要素は、測定基準の他の局面を再構成し、たとえば、ヒステリシスを増大させるように拡張することもできる。
【００２７】
（５）基地局は、制御側セル・パイロットＳＩＲ（および任意に近傍セルＳＩＲ）の最新の報告を用いて移動ユーザ端末へのＦＡＣＨフレームの送信電力を求める（図３のｃ、ｅ、ｆ、ｇ、図４のｌ、ｐ）。
【００２８】
（６）基地局は、Ｃｅｌｌ−ＦＡＣＨ状態からＣｅｌｌ−ＤＣＨ状態への遷移に関する基準を決定する際、制御側セルＳＩＲの最後の報告に基づいて必要な移動ユーザ端末送信電力の推定値を考慮する（図３のｇ）。基本的に、ＳＩＲが高くなり、したがって電力推定値が小さくなるにつれて、ＤＣＨ状態に遷移する可能性は低くなる。
【００２９】
（７）移動ユーザ端末がＣｅｌｌ−ＦＡＣＨ状態からＣｅｌｌ−ＤＣＨ状態に遷移する際、基地局は、送信を最後に受信された報告に基づいて以下のようにセットアップする。
ａ）最後に受信された報告から得た情報に基づいてＤｙｎａｍｉｃ  Ｂｅａｒｅｒ  Ｃｏｎｔｒｏｌ（ＤＢＣ）を行う。ＤＢＣブロックは、図２に示されているように基地局を制御する無線網コントローラ（ＲＮＣ）内にあり、推定された電力消費量に基づいてリソースを供給するかどうか、およびどの程度供給するか、すなわち、データ信号速度を割り当てるかどうか、およびどの程度割り当てるかを判定する。
ｂ）近傍のセルが定義された基準を満たしていることを最後に受信された報告が示している場合、近傍のセルと制御側セルに対するソフト・ハンドオーバ・レグをセットアップする。
ｃ）最後に報告された制御側セル・パイロットＳＩＲに基づいて初期ダウンリンク送信電力を開始する。
【００３０】
上述の好ましい実施形態では、ＳＩＲは、使用される信号品質の測度であることに留意されたい。他の実施形態では、この代わりに、ビット誤り率、受信信号強度、誤りベクトルの大きさのような他の信号品質測度が使用される。
【００３１】
略語
３ＧＰＰ    Ｔｈｉｒｄ  Ｇｅｎｅｒａｔｉｏｎ  Ｐａｒｔｎｅｒｓｈｉｐ  Ｐｒｏｊｅｃｔ
ＤＢＣ      Ｄｙｎａｍｉｃ  Ｂｅａｒｅｒ  Ｃｏｎｔｒｏｌ
ＤＣＨ      専用チャネル
ＦＡＣＨ    フォワード・アクセス・チャネル
ＲＮＣ      無線網コントローラ
ＳＩＲ      信号・干渉比
ＵＥ        ユーザ機器、すなわち、移動ユーザ端末
ＵＭＴＳ    Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ
ＵＴＲＡＮ  ＵＭＴＳ  ｔｅｒｒｅｓｔｒｉａｌ  ａｃｃｅｓｓ  ｎｅｔｗｏｒｋ
【図面の簡単な説明】
【００３２】
【図１】ＵＴＲＡＮ網および移動ユーザ端末を示す図である。
【図２】無線網コントローラおよび基地局を示す図である。
【図３】メッセージ・シーケンスの例を示す図である。
【図４】メッセージ・シーケンスの他の例を示す図である。
【図１】
0004727168.tif 000002
【図２】
0004727168.tif 000003
【図３】
0004727168.tif 000004
【図４】
0004727168.tif 000005